【手続補正書】
【提出日】平成20年4月28日(2008.4.28)
【手続補正１】
【補正対象書類名】明細書
【補正対象項目名】特許請求の範囲
【補正方法】変更
【補正の内容】
【特許請求の範囲】
【請求項１】  患者の目に移植するための眼内レンズであって：
偽水晶体の目に対して完全な近距離視力のために必要とされる追加パワーよりも小さい最大追加パワーを有する多焦点光学系と；
前記光学系に結合され、前記患者の目と協働して前記目の中で前記光学系の遠近調節移動を果たすよう形成された移動機構とから構成される眼内レンズ。
【請求項２】  前記最大追加パワーが、概略偽水晶体の目の中距離視力のために必要とされる追加パワーである、請求項１に記載の眼内レンズ。
【請求項３】  前記光学系が、偽水晶体の目に遠距離及び中距離の視力を提供する追加パワーを有し、前記移動機構が、偽水晶体の目に近距離視力が得られるように前記光学系の移動を十分に提供するよう形成されている、請求項１に記載の眼内レンズ。
【請求項４】  前記最大追加パワーが約１．５ジオプタよりも大きくはなく、前記移動機構が少なくとも約１．０ジオプタの遠近調節能を提供するよう形成されている、請求項１に記載の眼内レンズ。
【請求項５】  前記移動機構が、少なくとも約０．５０ｍｍの前記遠近調節移動を提供するよう形成されている、請求項１に記載の眼内レンズ。
【請求項６】  前記光学系が無限遠のための遠距離視力矯正パワーを有している、請求項１に記載の眼内レンズ。
【請求項７】  前記移動機構が前記光学系に外接し、前記光学系に結合される近接端領域と前記光学系から離れて前記目の水晶体嚢に接触するよう形成された遠隔端領域とを含むメンバを備えている、請求項１に記載の眼内レンズ。
【請求項８】  前記眼内レンズが休止状態において、前記光学系が当該移動機構の前記遠隔端領域の前方に湾曲するよう、前記移動機構が前記光学系に対して配置されている、請求項１に記載の眼内レンズ。
【請求項９】  小さな切り目を通して目の中に挿入するために変形可能である、請求項１に記載の眼内レンズ。
【請求項１０】  前記移動機構が、前記遠隔端領域に隣接して配置されたヒンジ・アセンブリを含む、請求項１に記載の眼内レンズ。
【請求項１１】  患者の目に移植するための眼内レンズであって：
偽水晶体の目に対して遠距離から近距離までの領域の一部のみの視力が提供可能な光学パワーの領域を有する多焦点光学系と；
前記光学系に結合され、前記患者の目と協働して前記目の中で前記光学系の遠近調節移動を果たすよう形成された移動機構とを備え、前記遠近調節移動が、偽水晶体の目に対して前記遠距離から近距離までの残りの領域の視力を提供するに十分であり、これによって前記患者が遠距離から近距離までの視力領域を有するものとなる眼内レンズ。
【請求項１２】  前記光学系のパワーの１つが偽水晶体の目の遠距離視力のためのパワーであり、前記光学系のパワーの他の１つが追加パワーである、請求項１１に記載の眼内レンズ。
【請求項１３】  前記光学系が、無限遠のための遠距離視力矯正パワーを有している、請求項１１に記載の眼内レンズ。
【請求項１４】  前記移動機構が前記光学系に外接し、前記光学系に結合される近接端領域と前記光学系から離れて前記目の水晶体嚢に接続するよう形成された遠隔端領域とを含むメンバを備えている、請求項１１に記載の眼内レンズ。
【請求項１５】  患者の目に移植するための眼内レンズであって：
光学系と；
前記光学系に結合され、前記患者の目と協働して前記目の中で前記光学系の遠近調節移動を果たすよう形成された移動機構と；
前記光学系が基礎線光学パワーと少なくとも１つの光学追加パワーとを有し、前記少なくとも１つの光学追加パワーが、前記移動機構によって提供される遠近調節移動を考慮して減少された大きさであることとから構成される眼内レンズ。
【請求項１６】  前記少なくとも１つの光学追加パワーが、目の中の固定位置にあるよう形成された同様の光学系の追加パワーと比較して減少された大きさである、請求項１５に記載の眼内レンズ。
【請求項１７】  前記光学系が、無限遠のための遠距離視力矯正パワーを有している、請求項１５に記載の眼内パワー。
【請求項１８】  前記移動機構が前記光学系に外接し、前記光学系に結合される近接端領域と前記光学系から離れて前記目の水晶体嚢に接触するよう形成された遠隔端領域とを含むメンバを備えている、請求項１５に記載の眼内レンズ。
【請求項１９】  患者の目に移植するための眼用レンズシステムにおいて：
それぞれが追加パワーを有する第１と第２の多焦点光学系であって、前記第１の光学系の最大追加パワーが偽水晶体の目の完全な近距離視力に必要とされる追加パワーよりも小さいものである第１と第２の多焦点光学系と；
前記第１及び第２の光学系にそれぞれ結合され、前記患者のそれぞれの目と協働して前記第１及び第２の光学系の遠近調節移動を果たすよう形成された第１及び第２の移動機構とから構成される眼用レンズシステム。
【請求項２０】  前記光学系の各々が光軸を備え、前記第１及び第２の光学系の各々のパワーがパワーカーブに沿って変化し、前記第１の光学系のパワーカーブが前記第２の光学系のパワーカーブとは異なっている、請求項１９に記載の眼用レンズシステム。
【請求項２１】  前記光学系の各々が光軸を備え、前記第１及び第２の光学系の各々のパワーがパワーカーブに沿って変化し、前記第１の光学系のパワーカーブが前記第２の光学系のパワーカーブとほぼ同一である、請求項１９に記載の眼用レンズシステム。
【請求項２２】  前記第２の光学系の追加パワーが偽水晶体の目のための中距離視力用の中距離追加パワーであり、前記第２の光学系によってもたらされる最良の視力が中距離にある目標物に対するものである、請求項１９に記載の眼用レンズシステム。
【請求項２３】  前記第１の光学系が遠距離視力に偏向され、前記第２の光学系が中距離視力に偏向されている、請求項１９に記載の眼用レンズシステム。
【請求項２４】  前記第２の光学系が最大追加パワーを有し、前記第１及び第２の光学系の最大追加パワーが、概略、偽水晶体の目に対する中距離視力用の中距離追加パワーよりも大きくはない、請求項１９に記載の眼用レンズシステム。
【請求項２５】  前記第１の光学系が、前記第２の光学系と比較して無限遠の目標物に対してより良い視力を提供する、請求項１９に記載の眼用レンズシステム。
【請求項２６】  前記第１及び第２の光学系の各々が、無限遠用の遠距離視力矯正パワーを有している、請求項１９に記載の眼用レンズシステム。
【請求項２７】  前記第１及び第２の移動機構が各関連する光学系に外接し、前記光学系に結合される近接端領域と前記光学系から離れて前記目の水晶体嚢に接触するよう形成された遠隔端領域とを含むメンバを備えている、請求項１９に記載の眼内レンズ。
【手続補正２】
【補正対象書類名】明細書
【補正対象項目名】００３５
【補正方法】変更
【補正の内容】
【００３５】
半径方向のパワーは、段階的にもしくは急激に変化させることができる。各第２のゾーンの最大パワーはほぼ同一であってもよい。本発明の１つの形態では、各第２のゾーンはほぼ一定のパワーを有し、例えば環状領域などの第２の光学系の第２のゾーンの領域は、第１の光学系の第２のゾーンの領域よりも広い。これも又、第２の光学系が第１の光学系と比較して中距離から近距離までより良い視力を有することに貢献している。
【手続補正３】
【補正対象書類名】明細書
【補正対象項目名】００４９
【補正方法】変更
【補正の内容】
【００４９】
ＩＯＬ  １０の１つの重要な観点は、レンズ本体１２の低減された追加パワーに関する。これは図５に見られる。レンズ本体１２に対するパワーカーブは、図５の実線で示されている。具体的には、前記追加パワー、もしくは基礎線、すなわち図５の「Ｘ」軸（横座標）に対する光学パワーの大きさは、同じく図５に破線で示している水晶体が摘出された眼内の固定位置で使用するよう形成された同等のＩＯＬのレンズ本体の追加パワーに比較して低減されている。このような同等のレンズは、目の中で遠近調節の移動をするよう形成されていない。このようにレンズ本体１２の光学追加パワーは、上述した水晶体が摘出された眼内の固定位置で使用するよう形成された非遠近調節のレンズ本体の光学追加パワーに比較して、基礎線パワー（図５の「Ｘ」軸で定義される）に、より接近している。この追加パワーの低減量（上述した水晶体が摘出された眼内の固定位置で使用するよう形成された非遠近調節の同等のレンズに比較して）は約１０％から約２０％と小さいが、この追加パワーの低減はしばしば約３０％から約５０％、あるいは約６０％もしくはそれ以上ともなる。
【手続補正４】
【補正対象書類名】明細書
【補正対象項目名】００５４
【補正方法】変更
【補正の内容】
【００５４】
図１から図６Ａに示す実施の形態では、レンズ本体１２は凸状の前表面２３と凸状の後表面２５とを有しているが、この形状は単に表示目的である。視力矯正パワーは表面２３、２５のいずれにも設けることができるが、本実施の形態では前表面２３の方が所望の視力矯正パワーを設けるに相応しい形状に形成されている。
【手続補正５】
【補正対象書類名】明細書
【補正対象項目名】００５８
【補正方法】変更
【補正の内容】
【００５８】
中央ゾーン２８は光軸３９から円形の周縁部４３まで延び、内側の環状の中距離ゾーン２９は前記周縁部４３から円形の周縁部５５まで延びるものと考えられ、前記外側の環状の中距離ゾーンは、周縁部４５から周縁部５８に延びるものと考えられる。環状の遠距離ゾーン３１は、周縁部５６と４５との間に延び、環状の遠距離ゾーン３２は、周縁部５８から周縁部４７まで半径方向外側に延びている。環状のゾーン３３は、周縁部４７からレンズ本体１２の外周４１まで半径方向外側に延びている。
【手続補正６】
【補正対象書類名】明細書
【補正対象項目名】００６１
【補正方法】変更
【補正の内容】
【００６１】
内側の環状の中距離ゾーン２９内では、視力矯正パワーは周縁部４３からプラトー５１まで変化し、このプラトーから変化して周縁部５６で基礎線に戻る。遠距離ゾーン３１では、視力矯正パワーは基礎線から僅か上に上昇し、その後、点５３で超遠距離のマイナス視力矯正パワーに進み、ここで反転して周縁部４５で基礎線に戻る。
【手続補正７】
【補正対象書類名】明細書
【補正対象項目名】００６２
【補正方法】変更
【補正の内容】
【００６２】
外側の環状の中距離ゾーン３０では、パワーは周縁部４５からプラトー５５に変化し、プラトー５５から周縁部５８で基礎線まで戻る。遠距離ゾーン３２では、パワーは基礎線から下に僅かに沈んで点５７で超遠距離矯正領域に至り、その後周縁部４７で基礎線まで戻る。遠距離ゾーン３１、３２における基礎線より下への沈下は、中央ゾーン２８に増加した焦点深度を支持する助けとなる。
【手続補正８】
【補正対象書類名】明細書
【補正対象項目名】００６９
【補正方法】変更
【補正の内容】
【００６９】
毛様体小帯４２と繊毛筋４８とは水晶体嚢４４の赤道直径を減少させたり増加させたりするのに有効であり、これによって前記嚢内に含まれるＩＯＬ  １０をそれぞれ前方もしくは後方へと移動させる。このように、繊毛筋４８の弛緩は、毛様体小帯４２が水晶体嚢４４の赤道直径を増加させる要因となり、これによって図１に示すようＩＯＬ  １０を後眼房内に向けて後方へ移動させる。
【手続補正９】
【補正対象書類名】明細書
【補正対象項目名】００７５
【補正方法】変更
【補正の内容】
【００７５】
図７から図９Ｃは、本発明にかかる眼用レンズシステムを示している。以下に明示する場合を除き、本システムに含まれる第１のＩＯＬ  １１０、及び第２のＩＯＬ  ２１０と定義されるこれらＩＯＬは、例えば眼内に移植される際などにおいてＩＯＬ  １０と同様に構成され、機能する。ＩＯＬ  １０の構成要素に該当する第１のＩＯＬ  １１０と第２のＩＯＬ  ２１０との各構成要素は、それぞれ１００番台、２００番台とした同一符号で示している。
【手続補正１０】
【補正対象書類名】明細書
【補正対象項目名】００８０
【補正方法】変更
【補正の内容】
【００８０】
図７において、中央ゾーン１２７と最外側の環状のゾーン１３５とは基礎線、すなわち基礎ジオプタパワーを有していることが見られ、これは患者により遠距離視力矯正に必要とされるパワーであってゼロ追加パワーと考えられる。図７と図８（さらに図５）に示すジオプタパワーの変化は、前記レンズ本体のそれぞれの光軸から一定の半径方向の距離にあるこれらのレンズ本体のどの位置の表面上においても当てはまるものである。換言すれば、光軸１３９からの与えられたどの所定半径方向距離においてもこのパワーは同一であり、光軸２３９からの与えられたどの所定半径方向距離においてもこのパワーは同一である。
【手続補正１１】
【補正対象書類名】明細書
【補正対象項目名】００８４
【補正方法】変更
【補正の内容】
【００８４】
遠距離矯正ゾーン１２７、１３１、１３５の環状の面積は、中距離パワーゾーン１２９、１３３の環状の面積よりも意図的に大きくされている。加えて、３つの遠距離パワーゾーン１２７、１３１、１３５と、２つの中距離視力矯正ゾーン１２９、１３３としかないが、所望であればこれ以外のゾーンの数とすることもできる。このように第１の光学系１１２のより広い表面が、他のいずれの焦点領域よりも遠距離焦点領域へ光を集束、もしくは導くために供される。したがって、第１のＩＯＬ  １１０は、遠距離から中距離まで非常に良好な視力を提供し、無限遠の目標物に対しては第２のＩＯＬ  ２１０よりもより良好な視力を提供する。ＩＯＬ  １１０は遠距離から中距離の視力に最適化されている。
【手続補正１２】
【補正対象書類名】明細書
【補正対象項目名】００８８
【補正方法】変更
【補正の内容】
【００８８】
加えて、第２の光学レンズ２１２のより大きな面積部分が中距離焦点領域に光を向けるよう使用されており、これにより、第１のＩＯＬ  １１０と比較して第２のレンズ本体２１２が中距離から近距離までのより良い視力を有することに貢献している。このように、ゾーン２３８、ゾーン２３７、２４１及び２４５を組み合わされた領域、すなわち、組み合わされた環状領域を図８に示す。この結果、入射光のより多くが遠距離もしくは長距離焦点領域よりも中距離焦点領域の方に向けられ、これは又、第２のＩＯＬ  ２１０が第１のＩＯＬ  １１０よりも中距離から近距離までのより良い視力を提供することに貢献し、より質の高い中距離から近距離に至る映像品質を提供することに貢献している。さらに第１のＩＯＬ  １１０と比較して、図７及び図８から見られるように、第２のＩＯＬ  ２１０の各ゾーン２３８、２４３は、第１のＩＯＬ  １１０のゾーン１２９、１３３のいずれよりも広い。これも又、第２のＩＯＬ  ２１０が第１のＩＯＬ  １１０よりも中距離から近距離までのより良い視力を提供することに貢献している。第２のＩＯＬ  ２１０は中距離偏向であり、第１のＩＯＬ  １１０は遠距離偏向である。
【手続補正１３】
【補正対象書類名】明細書
【補正対象項目名】図面の簡単な説明
【補正方法】変更
【補正の内容】
【図面の簡単な説明】
【図１】  目の後方の休止位置に配置されている、本発明にかかるＩＯＬが移植された目の部分断面図である。
【図２】  図１に示すＩＯＬが移植された目の部分断面図で、ＩＯＬが目の中の中間位置にある。
【図３】  図１に示すＩＯＬが移植された目の概略断面図で、ＩＯＬが目の中の前方位置にある。
【図４】  図１に示すＩＯＬの正面図である。
【図５】  図１に示す眼内レンズのレンズ本体のパワーと、当該眼内レンズの光軸からの距離との関係をプロットした図である。
【図６】  図４の６−６線にほぼ沿って切った断面図である。
【図６Ａ】  図６の弧６−６Ａにほぼ沿って取り出した断面図である。
【図７】  本発明にかかる遠距離偏向の光学系を有するＩＯＬの追加パワーと、当該ＩＯＬの光軸に直交する半径方向の距離との関係をプロットした図である。
【図８】  遠距離偏向のＩＯＬと共に使用される中距離偏向のＩＯＬに対する図７と同様の図である。
【図９Ａ】  図７に示す遠距離偏向のＩＯＬが偽水晶体の目に移植されたときの視力と追加パワーとの関係をプロットした図である。
【図９Ｂ】  図８に示す中距離偏向のＩＯＬが偽水晶体の目に移植されたときの図９Ａと同様の図である。
【図９Ｃ】  図７に示す遠距離偏向されたＩＯＬと、図８に示す中距離偏向されたＩＯＬとが偽水晶体患者の目にそれぞれ移植されたときの図９Ａと同様の図である。
【手続補正１４】
【補正対象書類名】明細書
【補正対象項目名】符号の説明
【補正方法】変更
【補正の内容】
【符号の説明】
１０．ＩＯＬ（眼内レンズ）、  １２．レンズ本体（光学系）、  １４．メンバ、  １６．近接端領域、１８．光学周縁部、  ２０．遠隔端領域、  ２２．周縁端末、  ２４．前表面、  ２６．後表面、  ２８．中央ゾーン、２９、３０．中距離ゾーン、  ３１、３２、３３．遠距離ゾーン、  ３９．光軸、  ４１．外周、  ４２．毛様体小帯、  ４３、５６、４５、５８、４７．周縁部、  ４４．水晶体嚢、  ４８．繊毛筋、  ５１、５５．プラトー、  １１０．第１のＩＯＬ、  １１２．第１の光学系（レンズ本体）、  １２７．中央ゾーン、  １２９、１３１、１３３、１３５．光学ゾーン、  １３９．光軸、  ２１０．第２のＩＯＬ、  ２１２．第２の光学系（レンズ本体）、  ２３９．光軸、  ２３７．中央ゾーン、  ２３８、２４１、２４３、２４５．光学ゾーン。
【手続補正１５】
【補正対象書類名】図面
【補正対象項目名】図５
【補正方法】変更
【補正の内容】
【図５】
2003531677.tif 000001